【手続補正書】
【提出日】平成15年8月7日(2003.8.7)
【手続補正１】
【補正対象書類名】明細書
【補正対象項目名】発明の名称
【補正方法】変更
【補正の内容】
【発明の名称】情報提供装置および方法、情報受信装置および方法、情報提供システム、並びに記録媒体


【手続補正２】
【補正対象書類名】明細書
【補正対象項目名】特許請求の範囲
【補正方法】変更
【補正の内容】
【特許請求の範囲】
【請求項１】
EPG情報を提供する情報提供装置において、
メッセージを含む第１の情報を生成する第１の生成手段と、
前記メッセージのインデックスを含む第２の情報を生成する第２の生成手段と、
前記第１の情報と第２の情報を前記EPG情報として合成する合成手段と
を備えることを特徴とする情報提供装置。
【請求項２】
前記合成手段は、前記第１の情報を、所定の周波数の搬送波に対応させ、前記第２の情報を、全ての周波数の搬送波に対応させる
ことを特徴とする請求項１に記載の情報提供装置。
【請求項３】
前記第２の生成手段は、前記第２の情報として、緊急メッセージを生成する
ことを特徴とする請求項１に記載の情報提供装置。
【請求項４】
前記第２の生成手段は、前記第２の情報として、前記メッセージの発信者とメッセージのタイプを生成する
ことを特徴とする請求項１に記載の情報提供装置。
【請求項５】
EPG情報を提供する情報提供方法において、
メッセージを含む第１の情報を生成する第１の生成ステップと、
前記メッセージのインデックスを含む第２の情報を生成する第２の生成ステップと、
前記第１の情報と第２の情報を前記EPG情報として合成する合成ステップと
を備えることを特徴とする情報提供方法。
【請求項６】
メッセージを含む第１の情報を生成する第１の生成ステップと、
前記メッセージのインデックスを含む第２の情報を生成する第２の生成ステップと、
前記第１の情報と第２の情報をEPG情報として合成する合成ステップと
をコンピュータに実行させるためのプログラムを記録したコンピュータが読み取り可能な記録媒体。
【請求項７】
メッセージを含む第１の情報と、前記メッセージのインデックスを含む第２の情報が合成されたEPG情報が、映像情報に重畳して伝送される信号を受信する情報受信装置において、
伝送されてきた信号を受信する受信手段と、
前記受信手段が受信した信号からメッセージを抽出する抽出手段と、
前記抽出手段により抽出された前記メッセージのタイプを判定する判定手段と、
前記判定手段の判定結果に対応して、前記メッセージの前記映像情報に対するオンスクリーン表示を制御する表示制御手段と
を備えることを特徴とする情報受信装置。
【請求項８】
メッセージを含む第１の情報と、前記メッセージのインデックスを含む第２の情報が合成されたEPG情報が、映像情報に重畳して伝送される信号を受信する情報受信方法において、
伝送されてきた信号を受信する受信ステップと、
前記受信ステップで受信した信号からメッセージを抽出する抽出ステップと、
前記抽出ステップで抽出された前記メッセージのタイプを判定する判定ステップと、
前記判定ステップの判定結果に対応して、前記メッセージの前記映像情報に対するオンスクリーン表示を制御する表示制御ステップと
を備えることを特徴とする情報受信方法。
【請求項９】
メッセージを含む第１の情報と、前記メッセージのインデックスを含む第２の情報が合成されたEPG情報が、映像情報に重畳して伝送される信号を受信する受信ステップと、
前記受信ステップで受信した信号からメッセージを抽出する抽出ステップと、
前記抽出ステップで抽出された前記メッセージのタイプを判定する判定ステップと、
前記判定ステップの判定結果に対応して、前記メッセージの前記映像情報に対するオンスクリーン表示を制御する表示制御ステップと
をコンピュータに実行させるためのプログラムを記録したコンピュータが読み取り可能な記録媒体。
【請求項１０】
情報提供装置から映像情報に重畳して提供したEPG情報を情報受信装置で受信する情報提供システムにおいて、
前記情報提供装置は、
メッセージを含む第１の情報を生成する第１の生成手段と、
前記メッセージのインデックスを含む第２の情報を生成する第２の生成手段と、
前記第１の情報と第２の情報を前記EPG情報として合成する合成手段と
を備え、
前記情報受信装置は、
前記EPG情報が、映像情報に重畳して伝送されてきた信号を受信する受信手段と、
前記受信手段が受信した信号からメッセージを抽出する抽出手段と、
前記抽出手段により抽出された前記メッセージの前記映像情報に対するオンスクリーン表示を制御する表示制御手段と
を備える
ことを特徴とする情報提供システム。
【請求項１１】
情報提供装置から映像情報に重畳して提供したEPG情報を情報受信装置で受信する情報提供方法において、
前記情報提供装置は、
メッセージを含む第１の情報を生成する第１の生成ステップと、
前記メッセージのインデックスを含む第２の情報を生成する第２の生成ステップと、
前記第１の情報と第２の情報を前記EPG情報として合成する合成ステップと
を備え、
前記情報受信装置は、
伝送されてきた信号を受信する受信ステップと、
前記受信ステップで受信した信号からメッセージを抽出する抽出ステップと、
前記抽出ステップで抽出された前記メッセージの前記映像情報に対するオンスクリーン表示を制御する表示制御ステップと
を備える
ことを特徴とする情報提供方法。
【手続補正３】
【補正対象書類名】明細書
【補正対象項目名】０００１
【補正方法】変更
【補正の内容】
【０００１】
【発明の属する技術分野】
本発明は、情報提供装置および方法、情報受信装置および方法、情報提供システム、並びに記録媒体に関し、特に、第１の情報と第２の情報とからEPG情報を合成するようにして、より多くのメッセージを、本来伝送する映像情報に影響を与えずに伝送することができるようにした情報提供装置および方法、情報受信装置および方法、情報提供システム、並びに記録媒体に関する。


【手続補正４】
【補正対象書類名】明細書
【補正対象項目名】００１７
【補正方法】変更
【補正の内容】
【００１７】
請求項６に記載の記録媒体は、メッセージを含む第１の情報を生成する第１の生成ステップと、メッセージのインデックスを含む第２の情報を生成する第２の生成ステップと、第１の情報と第２の情報をEPG情報として合成する合成ステップとをコンピュータに実行させるためのプログラムを記録したコンピュータが読み取り可能な記録媒体であることを特徴とする。


【手続補正５】
【補正対象書類名】明細書
【補正対象項目名】００２０
【補正方法】変更
【補正の内容】
【００２０】
請求項９に記載の記録媒体は、伝送されてきた信号を受信する受信ステップと、受信ステップで受信した信号からメッセージを抽出する抽出ステップと、抽出ステップで抽出されたメッセージのタイプを判定する判定ステップと、判定ステップの判定結果に対応して、メッセージの映像情報に対するオンスクリーン表示を制御する表示制御ステップとをコンピュータに実行させるためのプログラムを記録したコンピュータが読み取り可能な記録媒体であることを特徴とする。


【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】変更
【補正の内容】
【００２４】
請求項１に記載の情報提供装置、請求項５に記載の情報提供方法、および請求項６に記載の記録媒体においては、メッセージを含む第１の情報と、メッセージのインデックスを含む第２の情報が合成されてEPG情報とされる。


【手続補正８】
【補正対象書類名】明細書
【補正対象項目名】００２５
【補正方法】変更
【補正の内容】
【００２５】
請求項７に記載の情報受信装置、請求項８に記載の情報受信方法、および請求項９に記載の記録媒体においては、伝送されてきた信号からメッセージが抽出され、抽出されたメッセージのタイプが判定される。そして、判定結果に対応して、メッセージの映像情報に対するオンスクリーン表示が制御される。


【手続補正９】
【補正対象書類名】明細書
【補正対象項目名】００２６
【補正方法】変更
【補正の内容】
【００２６】
請求項１０に記載の情報提供システム、および請求項１１に記載の情報提供方法においては、第１の情報と第２の情報を合成してEPG情報が生成される。受信信号からメッセージが抽出され、映像情報に対してオンスクリーン表示される。


【手続補正１０】
【補正対象書類名】明細書
【補正対象項目名】０１３８
【補正方法】変更
【補正の内容】
【０１３８】
【発明の効果】
請求項１に記載の情報提供装置、請求項５に記載の情報提供方法、および請求項６に記載の記録媒体によれば、メッセージを含む第１の情報と、メッセージのインデックスを含む第２の情報を合成してEPG情報を生成するようにしたので、本来伝送する映像情報に与える影響を少なくして、多くのメッセージを伝送することが可能となる。


【手続補正１１】
【補正対象書類名】明細書
【補正対象項目名】０１３９
【補正方法】変更
【補正の内容】
【０１３９】
請求項７に記載の情報受信装置、請求項８に記載の情報受信方法、および請求項９に記載の記録媒体によれば、メッセージのタイプの判定結果に対応して、メッセージを映像情報にオンスクリーン表示させるようにしたので、メッセージが重畳された映像情報が記録媒体に記録されてしまうことを防止することが可能となる。


【手続補正１２】
【補正対象書類名】明細書
【補正対象項目名】０１４０
【補正方法】変更
【補正の内容】
【０１４０】
請求項１０に記載の情報提供システム、および請求項１１に記載の情報提供方法によれば、メッセージを含む第１の情報と、メッセージのインデックスを含む第２の情報を合成してEPG情報とし、受信した信号からメッセージを抽出し、映像情報にオンスクリーン表示させるようにしたので、本来の映像情報に大きな影響を与えることなく、多くのメッセージを伝送し、表示させることが可能となる。